(57)【要約】【課題】スケール除去のための洗浄が容易となるスチーム式加湿器を提供する。【解決手段】加湿器１の内部は、分離壁１０３によって上部室１０Ａと下部室１０Ｂとに分離されている。分離壁１０３の下面側にはＩＨコイル１１が配置され、分離壁１０３の上面側には磁性体材料から形成され、加熱される水をいれる蒸発皿１３が配置されている。このため、蒸発皿１３自体を発熱体とし、ＩＨ（Induction Heating）によって蒸発皿１３内の水を加熱することができる。蒸発皿１３は、加湿器１に対して着脱可能とされている。【選択図】図１
2019124383.tif 000002
【特許請求の範囲】
【請求項１】
水を加熱して水蒸気を発生させるスチーム式加湿器であって、
ＩＨコイルと、
磁性体材料から形成され、加熱される水を入れる蒸発皿とを備えており、
前記蒸発皿は、前記スチーム式加湿器に対して着脱可能であることを特徴とするスチーム式加湿器。
【請求項２】
請求項１に記載のスチーム式加湿器であって、
前記スチーム式加湿器の筐体の内部に送風ファンを有しており、
前記送風ファンは、前記ＩＨコイルの冷却と、スチーム式加湿器から放出される水蒸気の温度低下との両方に兼用されることを特徴とするスチーム式加湿器。
【請求項３】
請求項２に記載のスチーム式加湿器であって、
イオンを発生させるイオン発生器を備えており、
前記送風ファンによる送風は、前記イオン発生器により生成されたイオンの放出にも使用されることを特徴とするスチーム式加湿器。
【請求項４】
請求項１から３の何れか１項に記載のスチーム式加湿器であって、
前記スチーム式加湿器に対して着脱可能であり、前記蒸発皿に対して給水する給水タンクを備えており、
前記給水タンクが前記スチーム式加湿器に対して装着された時、前記給水タンクは前記蒸発皿の上方に位置することを特徴とするスチーム式加湿器。
【請求項５】
請求項４に記載のスチーム式加湿器であって、
前記給水タンクは、タンク本体とタンクキャップとからなり、前記給水タンクを前記スチーム式加湿器に装着する時には、前記タンクキャップを下に向けた状態で、前記タンクキャップが前記スチーム式加湿器の筐体の内部に完全に格納されるものであり、
前記タンクキャップは、その先端に前記タンク本体よりも径の細い管部を有していることを特徴とするスチーム式加湿器。
【請求項６】
請求項４または５に記載のスチーム式加湿器であって、
前記給水タンクは、前記蒸発皿の熱湯が前記給水タンク内に流れ込むことを防止する逆止弁を備えていることを特徴とするスチーム式加湿器。
【発明の詳細な説明】
【技術分野】
【０００１】
本発明は、水を加熱して水蒸気を発生させるスチーム式加湿器に関する。
【背景技術】
【０００２】
スチーム式加湿器は、通常、給水タンクの水を蒸発皿に供給し、蒸発皿に供給された水をヒータ等の加熱手段で加熱して水蒸気を発生させる。このようなスチーム式加湿器において、蒸発皿には水中に含まれる不純物（カルシウムやマグネシウム）がスケールとなって付着する。このため、蒸発皿に対し、付着したスケールを落とすための洗浄が必要となる。
【０００３】
しかしながら、従来のスチーム式加湿器では、蒸発皿を加熱手段であるヒータに接触させて配置するため、蒸発皿は加湿器本体に一体的に取り付けられていた。このため、加湿器から蒸発皿のみを取り外して洗浄することが行えず、スケール除去のための洗浄がユーザにとって煩雑になるといった課題がある。
【０００４】
特許文献１には、スケール除去のための洗浄を容易にするための構成が開示されている。特許文献１に開示された加湿器は、給水タンクから供給された水を加熱するための加熱タンクを備え、加熱タンクの外側に電磁誘導コイルを配置する一方、加熱タンク内部に磁性体材料からなる発熱体を配置している。すなわち、特許文献１の加湿器では、ＩＨ（Induction Heating）によって加熱タンク内の水を加熱するものであり、高温となる発熱体に主としてスケールが付着するようにしている。また、発熱体を加湿器本体に対して着脱可能とし、スケールが付着した発熱体を容易に洗浄できるようにしている。
【先行技術文献】
【特許文献】
【０００５】
【特許文献１】特開２０００−３４６４０９号公報
【発明の概要】
【発明が解決しようとする課題】
【０００６】
しかしながら、特許文献１の加湿器の構成でも、蒸発皿の機能を有する加熱タンクの底部は、加湿器本体に一体的に形成された構造となっている。そして、主として発熱体にスケールが付着するようにしても、加熱タンク内部にスケールが付着することを完全に防止できるものではない。また、発熱体の表面に析出したスケールが剥がれ落ち、加熱タンクの底部に溜まることもある。このため、スケール除去のために加熱タンクの洗浄は必要であり、加熱タンクの取り外しができないことから、スケール除去のための洗浄がユーザにとって煩雑になるといった課題を完全に解決できるものではない。
【０００７】
また、特許文献１の加湿器の構成では、加熱タンクの外側に配置される電磁誘導コイルと加熱タンク内部に配置される発熱体との距離が離れることになり、ＩＨによる加熱効率が低下するといった問題もある。
【０００８】
本発明は、上記課題に鑑みてなされたものであり、スケール除去のための洗浄が容易となるスチーム式加湿器を提供することを目的とする。
【課題を解決するための手段】
【０００９】
上記の課題を解決するために、本発明のスチーム式加湿器は、水を加熱して水蒸気を発生させるスチーム式加湿器であって、ＩＨコイルと、磁性体材料から形成され、加熱される水を入れる蒸発皿とを備えており、前記蒸発皿は、前記スチーム式加湿器に対して着脱可能であることを特徴としている。
【００１０】
上記の構成によれば、蒸発皿自体を発熱体とし、ＩＨ（Induction Heating）によって蒸発皿内の水を加熱することができる。このように、加熱手段にＩＨを用いることにより、ＩＨコイルと蒸発皿とを近接させて高い加熱効率を確保しながらも、蒸発皿をスチーム式加湿器に対して着脱可能とすることができる。また、水中に含まれる不純物は、全て蒸発皿にスケールとなって付着する。蒸発皿はスチーム式加湿器から分離可能であるため、蒸発皿を丸洗いしたり水に浸け置き洗いするなどして、スケール除去のための洗浄が容易となる。
【００１１】
また、上記スチーム式加湿器は、前記スチーム式加湿器の筐体の内部に送風ファンを有しており、前記送風ファンは、前記ＩＨコイルの冷却と、スチーム式加湿器から放出される水蒸気の温度低下との両方に兼用される構成とすることができる。
【００１２】
上記の構成によれば、一つの送風ファンを、ＩＨコイルの冷却と水蒸気の温度低下との両方に兼用することができ、ファンの数が増加することによるコストアップを防止することができる。
【００１３】
また、上記スチーム式加湿器は、イオンを発生させるイオン発生器を備えており、前記送風ファンによる送風は、前記イオン発生器により生成されたイオンの放出にも使用される構成とすることができる。
【００１４】
上記の構成によれば、イオン発生器により生成されたイオンの放出にも同じ送風ファンを使用することで、ファンの数が増加することによるコストアップを防止することができる。また、イオン放出を行う場合には、良好なイオン放散効果を得るためにある程度の風量が必要となり、風量アップによって冷風感が生じる場合もあるが、上記送風ファンによる送風はＩＨコイルからの排熱等を含むため、風量アップによる冷風感を低減することができる。
【００１５】
また、上記スチーム式加湿器は、前記スチーム式加湿器に対して着脱可能であり、前記蒸発皿に対して給水する給水タンクを備えており、前記給水タンクが前記スチーム式加湿器に対して装着された時、前記給水タンクは前記蒸発皿の上方に位置する構成とすることができる。
【００１６】
上記の構成によれば、蒸発皿の上方に位置する給水タンクから蒸発皿に給水することで、給水タンクから蒸発皿の間において、蒸発皿の外縁よりも外方となる箇所に給水経路を別途設けることを必要としない。このため、蒸発皿を加湿器から着脱可能な構成としても、蒸発皿の外方に設けられる給水経路等での水漏れが発生することはなく、簡易な構成で水漏れを防止できる。また、給水タンクを蒸発皿の上方に位置させることで、加湿器スチーム式の小型化（低面積化）にも有利となる。
【００１７】
また、上記スチーム式加湿器では、前記給水タンクは、タンク本体とタンクキャップとからなり、前記給水タンクを前記スチーム式加湿器に装着する時には、前記タンクキャップを下に向けた状態で、前記タンクキャップが前記スチーム式加湿器の筐体の内部に完全に格納されるものであり、前記タンクキャップは、その先端に前記タンク本体よりも径の細い管部を有している構成とすることができる。
【００１８】
上記の構成によれば、スチーム式加湿器の内部空間において、蒸発皿の上方は空気流路の一部となるが、給水タンクに径の細い管部を設けることで、蒸発皿の上方に位置する給水タンクが空気の流れを阻害することを抑制できる。これにより、発生した水蒸気を効率良く排出でき、内部結露を防いで加湿量を増加させることができる。
【００１９】
また、スチーム式加湿器の運転時、給水タンクの先端は蒸発皿で加熱された熱湯に浸されることになるが、熱湯に浸される給水タンクの先端を径の細い管部とすることで熱湯との接触面を最小限とすることができる。これにより、熱湯から給水タンクへの熱伝導によるエネルギーロスを抑制できる。さらに、給水タンクを加湿器から取り外した時に、熱湯に浸されていた給水タンクの先端を冷めやすくすることができる。
【００２０】
また、上記スチーム式加湿器では、前記給水タンクは、前記蒸発皿の熱湯が前記給水タンク内に流れ込むことを防止する逆止弁を備えている構成とすることができる。
【００２１】
上記の構成によれば、対流により蒸発皿の熱湯が給水タンク内に流れ込むことによるエネルギーロスを防止することができる。また、給水タンク内への熱湯の流れ込みを防止することで、給水タンクの温度上昇も防止できる。
【発明の効果】
【００２２】
本発明のスチーム式加湿器は、加熱手段にＩＨを用いることにより、ＩＨコイルと蒸発皿（発熱体）とを近接させて高い加熱効率を確保しながらも、蒸発皿をスチーム式加湿器に対して着脱可能とすることができる。これにより、スケールが付着する蒸発皿をスチーム式加湿器から分離し、蒸発皿を丸洗いしたり水に浸け置き洗いするなどして、スケール除去のための洗浄が容易となるといった効果を奏する。
【図面の簡単な説明】
【００２３】
【図１】本発明の一実施形態を示すものであり、加湿器の概略構成を示す図である。
【図２】図１の加湿器に用いられる給水タンクの分解図である。
【図３】給水タンクに逆止弁を設けた構造を示す拡大断面図である。
【発明を実施するための形態】
【００２４】
〔実施の形態１〕
以下、本発明の実施の形態について、図面を参照して詳細に説明する。図１は、本実施の形態１に係る加湿器１の概略構成を示す図である。加湿器１は、水を加熱して水蒸気を発生させるスチーム式加湿器であり、大略的には、筐体１０、ＩＨコイル１１、送風ファン１２、蒸発皿１３、給水タンク１４および制御部１５を備えて構成されている。
【００２５】
筐体１０は、互いに分離可能な上部筐体部材１０１と下部筐体部材１０２とで構成され、これらの組み合わせにより加湿器１の外観を構成している。筐体１０の内部は、分離壁１０３によって上部室１０Ａと下部室１０Ｂとに分離されている。尚、分離壁１０３は、下部筐体部材１０２の天板でもある。但し、分離壁１０３は上部室１０Ａと下部室１０Ｂとを完全に分離するものではなく、分離壁１０３の一部には上部室１０Ａと下部室１０Ｂとを連通させる連通口１０４が設けられている。また、連通口１０４は、分離壁１０３の一端部付近に設けられる。
【００２６】
下部室１０Ｂには、下部筐体部材１０２の側面において、連通口１０４とほぼ反対側の端部に吸込口１０５が設けられている。これにより、下部室１０Ｂの内部空間には、吸込口１０５から連通口１０４に向かう空気流路が形成される。また、下部室１０Ｂには、上記空気流路に沿って、ＩＨコイル１１および送風ファン１２が配置される。具体的には、ＩＨコイル１１は、分離壁１０３の中心付近において、下部室１０Ｂの天面部（すなわち分離壁１０３の下面側）に取り付けられて配置されている。また、送風ファン１２は、吸込口１０５の近傍に配置されており、吸込口１０５から取り入れた空気を筐体１０（下部室１０Ｂ）の内部に送りこむ。尚、加湿器１の内部の送風構造については、後述する実施の形態２において詳細に説明する。
【００２７】
上部室１０Ａには、上部筐体部材１０１の上面において、連通口１０４とほぼ反対側の端部付近に吹出口１０６が設けられている。これにより、上部室１０Ａの内部空間には、連通口１０４から吹出口１０６に向かう空気流路が形成される。また、上部室１０Ａには、蒸発皿１３および給水タンク１４が配置される。具体的には、蒸発皿１３は、分離壁１０３の中心付近において、上部室１０Ａの底面部（すなわち分離壁１０３の上面側）に着脱可能に配置される。加湿器１において、蒸発皿１３は磁性体材料（例えば鉄やステンレス）によって形成されている。また、図１での図示は省略しているが、加湿器１には、蒸発皿１３を装着した場合に蒸発皿１３を所定箇所に位置決め固定するための位置決め手段が設けられている。
【００２８】
給水タンク１４は、上部室１０Ａの天板に設けられたから筐体１０に対して着脱可能に装着される。また、筐体１０に装着された給水タンク１４は、蒸発皿１３の上方（好ましくは直上）に位置し、給水タンク１４から蒸発皿１３には上方から給水できるようになっている。尚、給水タンク１４から蒸発皿１３への給水構造については、後述する実施の形態３において詳細に説明する。
【００２９】
制御部１５は、加湿器１の動作を制御するものであり、少なくとも、ＩＨコイル１１および送風ファン１２の駆動制御を行う。無論、これら以外に、加湿器１をタイマー運転させる時のタイマー制御を行ったり、加湿器１に温度センサや湿度センサなどの各種センサを設け、これらのセンサ検知に基づく自動運転制御を行ったりすることも可能である。尚、制御部１５の配置箇所は特に限定されるものではないが、制御対象であるＩＨコイル１１および送風ファン１２と同じく下部室１０Ｂに配置されることが好ましい。図１の例では、制御部１５は、下部室１０Ｂの底面部に設けられている。また、制御部１５は、水の侵入が遮断されるように、防水カバー１５１により覆われていることが好ましい。
【００３０】
本実施の形態１に係る加湿器１では、分離壁１０３の下面側にＩＨコイル１１が配置され、上面側に磁性体材料からなる蒸発皿１３が配置される。このため、蒸発皿１３自体を発熱体とし、ＩＨ（Induction Heating）によって蒸発皿１３内の水を加熱することができる。このように、加熱手段にＩＨを用いることにより、ＩＨコイル１１と蒸発皿１３とを近接させて高い加熱効率を確保しながらも、蒸発皿１３を加湿器１に対して着脱可能とすることができる。尚、蒸発皿１３を加湿器１から取り外すときには、上部筐体部材１０１を下部筐体部材１０２から取り外せば、分離壁１０３の上面が露出するため、蒸発皿１３を容易に取り外すことができる。
【００３１】
加湿器１では、蒸発皿１３内の水を加熱して水蒸気を発生させることで、水中に含まれる不純物（カルシウムやマグネシウム）は、全て蒸発皿１３にスケールとなって付着する。そして、蒸発皿１３は加湿器１から分離可能であるため、蒸発皿１３を丸洗いしたり水に浸け置き洗いするなどして、スケール除去のための洗浄が容易となる
〔実施の形態２〕
上述した加湿器１は加熱手段としてＩＨを用いているが、ＩＨシステムでは、一般にコイル冷却用のファンが必要である。また、スチーム式加湿器では、高温の水蒸気が吹き出すことによってユーザが火傷することのないように、水蒸気の温度を低下させるためのファンが設けられていることも多い。本実施の形態２では、加湿器１における好適な送風構造について説明する。
【００３２】
上述したように、加湿器１の筐体１０の内部は上部室１０Ａと下部室１０Ｂとに分離されており、かつ、上部室１０Ａと下部室１０Ｂとは連通口１０４を通じて連通している。また、下部室１０Ｂには吸込口１０５が、上部室１０Ａには吹出口１０６が、連通口１０４とほぼ反対側の端部（もしくは端部付近）に設けられている。このため、筐体１０の内部には、上部室１０Ａと下部室１０Ｂとを連通する空気流路が形成され、送風ファン１２を駆動することによって、吸込口１０５→下部室１０Ｂ→連通口１０４→上部室１０Ａ→吹出口１０６の順に空気が流れる。
【００３３】
下部室１０Ｂの空気流路では、ＩＨコイル１１の冷却を行うことができる。また、図１に示すように、制御部１５が下部室１０Ｂに配置される場合には、制御部１５の冷却を行うことも可能である。ＩＨコイル１１および制御部１５は、下部室１０Ｂの天面部および底面部に設けられているため、空気流路における空気の流れを阻害することはない。
【００３４】
上部室１０Ａの空気流路では、空気の流れは、連通口１０４から吹出口１０６に向かって斜め上方に生じる。この時、空気の流れは、上部室１０Ａの中央、すなわち蒸発皿１３の上部を通過するため、蒸発皿１３での加熱により発生した水蒸気と混ざる。これにより、吹出口１０６から放出される水蒸気の温度を低下させることができる。
【００３５】
このように、加湿器１では、一つの送風ファン１２を、ＩＨコイル１１の冷却と水蒸気の温度低下との両方に兼用することができ、ファンの数が増加することによるコストアップを防止することができる。
【００３６】
また、加湿器１には、防臭や殺菌効果のあるイオンを発生させるイオン発生器１６を備えてもよい。イオン発生器１６を備える場合には、図１に示すように、イオン発生器１６は下部室１０Ｂの空気流路上に備えられることが好ましい。これにより、イオン発生器１６により生成されたイオンの放出にも、送風ファン１２による送風を利用することができる。このようなイオン放出を行う場合には、良好なイオン放散効果を得るためにある程度の風量が必要となり、風量アップによって冷風感が生じる場合もある。これに対し、加湿器１では、送風ファン１２による送風はＩＨコイル１１からの排熱等を含むため、風量アップによる冷風感を低減することができ、ＩＨコイル１１の排熱利用にも有効である。
【００３７】
〔実施の形態３〕
上述した加湿器１は蒸発皿１３を着脱可能な構成としているが、この場合、給水タンク１４から蒸発皿１３への給水において水漏れが発生しないような工夫を行うことも必要である。本実施の形態３では、加湿器１における好適な給水構造について説明する。
【００３８】
加湿器１に用いられる給水タンク１４は、図２に示すように、タンク本体１４１とタンクキャップ１４２とから構成されている。また、タンクキャップ１４２はタンク本体１４１に対して着脱可能であり、タンクキャップ１４２を外した状態でタンク本体１４１に水道水等を給水することができる。尚、タンク本体１４１の形状は特に限定されるものでなく、断面円形状であってもよく断面矩形状であってもよい。
【００３９】
給水タンク１４を加湿器１に装着する時には、タンクキャップ１４２を下に向けて、給水タンク１４がタンク挿入口１０７に挿入される。尚、タンク挿入口１０７はタンク本体１４１に合わせた大きさとされており、給水タンク１４の装着時、タンクキャップ１４２は筐体１０の内部に完全に格納されるが、タンク本体１４１の一部は筐体１０の外部に露出していてもよい。また、図１では図示を省略しているが、タンク挿入口１０７に挿入された給水タンク１４は、位置決め手段によって所定の位置に位置決めされるようになっている。
【００４０】
こうして給水タンク１４が加湿器１に装着された時、給水タンク１４は蒸発皿１３の上方に位置し、タンクキャップ１４２の先端に設けられた給水弁１４３が蒸発皿１３の底面に当接して押し上げられ、給水弁１４３は開弁状態となる。給水弁１４３が開弁すると、給水タンク１４から蒸発皿１３へ上方から給水が行われ、蒸発皿１３ではタンクキャップ１４２の先端よりやや上に水位が維持される。このような給水弁１４３は周知の構成であるため、ここでは給水弁１４３の詳細な説明は省略する。
【００４１】
このように、加湿器１では、蒸発皿１３の上方に位置する給水タンク１４から蒸発皿１３に上方から給水するものであるため、給水タンク１４から蒸発皿１３の間で、蒸発皿１３の外縁よりも外方となる箇所に給水経路を別途設けることを必要としない。このため、蒸発皿１３を加湿器１から着脱可能としても、蒸発皿の外方に設けられる給水経路等での水漏れが発生することはない。尚、従来の加湿器では、給水タンクと蒸発皿とは給水経路で接続されており、該給水経路は蒸発皿の外縁よりも外方に設けられていたために、該給水経路での水漏れを防止する必要があった。そして、給水経路での水漏れを防止するために蒸発皿と給水経路とを継ぎ目の無い一体構造としていたことも、蒸発皿の分離を不可とする一因であった。
【００４２】
加湿式１では、給水タンク１４を蒸発皿１３の上方に位置させたことで、給水タンク１４と蒸発皿１３との間に給水経路を別途設けず、給水タンク１４から蒸発皿１３へ直接給水を行う構成とすることも可能となっている。但し、本発明は、給水タンク１４から蒸発皿１３へ直接給水を行う構成に限定されるものではなく、給水タンク１４と蒸発皿１３との間に給水経路が設けられていても、この給水経路が蒸発皿１３の外縁よりも内方に存在しているものであればよい。また、給水タンク１４を蒸発皿１３の上方（より好ましくは直上）に位置させることは、加湿器１の小型化（低面積化）にも有利な構成となる。
【００４３】
また、タンクキャップ１４２は、タンク本体１４１との接続部以外は、タンク本体１４１よりも径の細い管部１４４とされており、管部１４４の先端（タンク本体１４１との接続部と反対側）に給水弁１４３が設けられている。また、給水タンク１４が加湿器１に装着された時、管部１４４は上部室１０Ａの内部に完全に格納される長さとされている。
【００４４】
このように、蒸発皿１３の直上に位置する給水タンク１４において、上部室１０Ａの内部に格納される部分には管部１４４が含まれる。上述したように、上部室１０Ａの内部空間は空気流路の一部となっているが、給水タンク１４に管部１４４を設けることで、給水タンク１４が空気の流れを阻害することを抑制できる。これにより、発生した水蒸気を吹出口１０６から効率良く排出でき、内部結露を防いで加湿量を増加させることができる。
【００４５】
また、加湿器１の運転時、給水タンク１４の先端は蒸発皿１３で加熱された熱湯に浸されることになるが、熱湯に浸される給水タンク１４の先端を径の細い管部１４４とすることで熱湯との接触面を最小限とすることができる。これにより、熱湯から給水タンク１４への熱伝導によるエネルギーロスを抑制できる。
【００４６】
また、給水タンク１４において、上部室１０Ａの内部に格納される部分は高温の水蒸気に曝されて表面温度が高くなることが考えられる。これに対し、管部１４４は径が細い分比表面積が大きくなり、給水タンク１４を加湿器１から取り外した時に冷めやすい。これにより、高温となった給水タンク１４の表面にユーザが触って火傷することを回避できる。
【００４７】
尚、管部１４４の長さＬ（図２参照）は、上記の観点から５０〜２００ｍｍの範囲とすることが好ましい。
【００４８】
給水タンク１４が加湿器１に装着された時、給水弁１４３は開弁状態となっている。このため、対流によって蒸発皿１３の熱湯が給水タンク１４内に流れ込むとエネルギーロスが発生する。このエネルギーロスを防止するため、図３に示すように、タンクキャップ１４２には逆止弁１４５が設けられていてもよい。また、逆止弁１４５を設けて給水タンク１４内への熱湯の流れ込みを防止することで、給水タンク１４の温度上昇も防止でき、高温となった給水タンク１４の表面にユーザが触って火傷することも回避できる。
【００４９】
上記説明では、蒸発皿１３を高さ寸法に対して幅寸法の大きい皿形状とし、ＩＨコイル１１を蒸発皿１３の底面に対向するように配置しているが、本発明はこれに限定されるものではない。例えば、蒸発皿１３を高さ寸法に対して幅寸法の小さい筒形状とし、ＩＨコイル１１を蒸発皿１３の側面に対向するように配置してもよい。
【００５０】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００５１】
１    加湿器（スチーム式加湿器）
１０    筐体
１０Ａ  上部室
１０Ｂ  下部室
１０１  上部筐体部材
１０２  下部筐体部材
１０３  分離壁
１０４  連通口
１０５  吸込口
１０６  吹出口
１０７  タンク挿入口
１１    ＩＨコイル
１２    送風ファン
１３    蒸発皿
１４    給水タンク
１４１  タンク本体
１４２  タンクキャップ
１４３  給水弁
１４４  管部
１４５  逆止弁
１５    制御部
１６    イオン発生器
【図１】
2019124383.tif 000003
【図２】
2019124383.tif 000004
【図３】
2019124383.tif 000005